(57)【要約】【課題】複数のコネクタアダプタが高密度で実装される場合でも、コネクタアダプタに対するコネクタの誤挿抜を防止することができる光成端ユニットを提供する。【解決手段】光成端ユニット１は、コネクタモジュール２と、接続モジュール３と、検査モジュール４とを備えている。コネクタモジュール２は、整列状態に配列された複数の単心コネクタアダプタ１０を有している。接続モジュール３は、各単心コネクタアダプタ１０と多心コネクタ２１とを接続する不等分配スプリッタ３０を有している。検査モジュール４は、不等分配スプリッタ３０から分岐された分岐用光ファイバ２６，２７と接続される上下２段の単心コネクタアダプタ３３，３４を複数ずつ有している。検査モジュール４がコネクタモジュール２に装着された状態では、単心コネクタアダプタ１０とこれに対応する単心コネクタアダプタ３３，３４とが同じ列で上下に並ぶように構成されている。【選択図】図８
2014174394.tif 000002
【特許請求の範囲】
【請求項１】
複数本の光ファイバ心線を１心毎に成端する光成端ユニットにおいて、
整列状態に配列された複数の第１単心コネクタアダプタを有するコネクタモジュールと、
前記複数本の光ファイバ心線とコネクタ接続されるコネクタを有すると共に、前記複数の第１単心コネクタアダプタと前記コネクタとを接続用光ファイバを介して接続する光部品を収容する接続モジュールと、
前記コネクタモジュールに対して着脱可能であり、前記光ファイバ心線を伝搬する光の通信異常を検査するための検査モジュールとを備え、
前記光部品は、前記接続用光ファイバから分岐用光ファイバを分岐させる光スプリッタであり、
前記検査モジュールは、前記分岐用光ファイバと接続されると共に整列状態に配列された複数の第２単心コネクタアダプタを有し、前記コネクタモジュールに装着された状態において前記第１単心コネクタアダプタと対応する前記第２単心コネクタアダプタとが同じ列で上下に並ぶように構成されていることを特徴とする光成端ユニット。
【請求項２】
前記第２単心コネクタアダプタには、キャップが嵌め込まれていることを特徴とする請求項１記載の光成端ユニット。
【請求項３】
前記キャップは、前記検査モジュールが前記コネクタモジュールに装着された状態において前記第１単心コネクタアダプタ側まで延びるように構成されていることを特徴とする請求項２記載の光成端ユニット。
【請求項４】
前記光スプリッタは、前記分岐用光ファイバを伝搬する光の強度が前記接続用光ファイバを伝搬する光の強度よりも低くなるように設定された不等分配スプリッタであることを特徴とする請求項１〜３のいずれか一項記載の光成端ユニット。
【請求項５】
前記接続モジュールの上部に配置され、前記コネクタモジュールを収容するユニットケースを更に備え、
前記複数の第１単心コネクタアダプタは、前記ユニットケースの奥行方向に整列状態に配列されており、
前記コネクタモジュールは、前記ユニットケースに対して奥行方向に沿って出し入れ自在かつ回転自在となっており、
前記検査モジュールは、前記コネクタモジュールを前記ユニットケースから引き出した後、前記第１単心コネクタアダプタが前記ユニットケースの正面側を向くように前記コネクタモジュールを回転させた状態で、前記コネクタモジュールに装着されることを特徴とする請求項１〜４のいずれか一項記載の光成端ユニット。
【請求項６】
請求項１〜５のいずれか一項記載の光成端ユニットを用意し、前記コネクタモジュールに前記検査モジュールを装着する準備工程と、
前記検査モジュールの何れかの前記第２単心コネクタアダプタに検査用光ファイバをコネクタ接続して、前記光ファイバ心線を伝搬する光の通信異常を検査する検査工程と、
前記検査工程による検査結果に応じて、前記何れかの第２単心コネクタアダプタに対応する前記第１単心コネクタアダプタに対してコネクタを挿抜して良いかどうかを判定する判定工程とを含むことを特徴とする通信異常検査方法。
【請求項７】
整列状態に配列された複数の第１単心コネクタアダプタを有するコネクタモジュールに対して着脱可能な検査モジュールであって、
整列状態に配列された複数の第２単心コネクタアダプタを有し、前記コネクタモジュールに装着された状態において前記第１単心コネクタアダプタと対応する前記第２単心コネクタアダプタとが同じ列で上下に並ぶように構成されていることを特徴とする検査モジュール。
【発明の詳細な説明】
【技術分野】
【０００１】
本発明は、複数本の光ファイバ心線を１心毎に成端する光成端ユニット、その光成端ユニットを使用して光ファイバ心線を伝搬する光の通信異常を検査する通信異常検査方法、光成端ユニットに具備される検査モジュールに関するものである。
【背景技術】
【０００２】
従来の光成端ユニットとしては、例えば特許文献１に記載されているものが知られている。特許文献１に記載の光成端ユニットは、ユニットケースの下段に引き出し可能に収納され、外線光ケーブルから取り出されたテープ状光ファイバ心線と分岐光ファイバ心線との接続部を収納する接続部収納トレイと、ユニットケースの上段に固定されたトレイ保持板に対してスライド可能及び回転可能に取り付けられ、分岐光ファイバ心線の光コネクタが接続された５つの２段４列のコネクタアダプタが配列されてなるコネクタ収納トレイとを備えている。
【先行技術文献】
【特許文献】
【０００３】
【特許文献１】特開２００３−１０７２５１号公報
【発明の概要】
【発明が解決しようとする課題】
【０００４】
ところで、ビルやセンタ内に引き込まれた光ケーブルは、光成端ユニットを介して伝送機器とつながれる。伝送機器と光成端ユニットとは光コードで接続されており、光コードにより１心毎に通信光が送られる。ここで、通信光の異常を検査する場合は、専用の検査ユニットを使用し、例えば光ケーブルに内蔵された光ファイバ心線を伝搬する通信光を測定したり、光ファイバ心線に検査光を入れて、異常箇所の特定や分析等を行い、その結果に応じてコネクタアダプタに対してコネクタの挿抜を行う。しかし、光成端ユニットに成端される光ファイバの心数が多い場合には、複数のコネクタアダプタが高密度で実装されることになるため、対象となるコネクタに隣接するコネクタを抜いてしまったり、対象となるコネクタアダプタに隣接するコネクタアダプタにコネクタを差し込んでしまうといったコネクタの誤挿抜が発生しやすくなる。
【０００５】
本発明の目的は、複数のコネクタアダプタが高密度で実装される場合でも、コネクタアダプタに対するコネクタの誤挿抜を防止することができる光成端ユニット、通信異常検査方法及び検査モジュールを提供することである。
【課題を解決するための手段】
【０００６】
本発明は、複数本の光ファイバ心線を１心毎に成端する光成端ユニットにおいて、整列状態に配列された複数の第１単心コネクタアダプタを有するコネクタモジュールと、複数本の光ファイバ心線とコネクタ接続されるコネクタを有すると共に、複数の第１単心コネクタアダプタとコネクタとを接続用光ファイバを介して接続する光部品を収容する接続モジュールと、コネクタモジュールに対して着脱可能であり、光ファイバ心線を伝搬する光の通信異常を検査するための検査モジュールとを備え、光部品は、接続用光ファイバから分岐用光ファイバを分岐させる光スプリッタであり、検査モジュールは、分岐用光ファイバと接続されると共に整列状態に配列された複数の第２単心コネクタアダプタを有し、コネクタモジュールに装着された状態において第１単心コネクタアダプタと対応する第２単心コネクタアダプタとが同じ列で上下に並ぶように構成されていることを特徴とするものである。
【０００７】
このように本発明の光成端ユニットにおいて、例えばコネクタモジュールの各第１単心コネクタアダプタには、例えば伝送機器と接続された光コードに組み付けられたコネクタプラグが差し込まれており、接続モジュールのコネクタには、複数本の光ファイバ心線がコネクタ接続されている。例えば光伝送路である光ファイバ心線を伝搬する光の通信異常を検査する場合は、検査モジュールをコネクタモジュールに装着した状態で、専用の検査ユニットと接続されたコネクタを検査モジュールにおける検査対象の光ファイバ心線に対応する第２単心コネクタアダプタに差し込み、検査対象の光ファイバ心線を伝搬する通信光を測定したり、検査対象の光ファイバ心線に検査光を入れて、当該光ファイバ心線に異常があるかどうかを検査する。そして、当該光ファイバ心線に異常があるときは、コネクタが差し込まれた第２単心コネクタアダプタに対応する第１単心コネクタアダプタからコネクタプラグを引き抜く。このとき、検査モジュールがコネクタモジュールに装着された状態では、第１単心コネクタアダプタと対応する第２単心コネクタアダプタとが同じ列で上下に並ぶように構成されているので、コネクタプラグを引き抜くべき第１単心コネクタアダプタの位置が識別しやすい。これにより、複数の第１単心コネクタアダプタが高密度で配列されている場合でも、第１単心コネクタアダプタに対するコネクタプラグの誤挿抜を防止することができる。
【０００８】
好ましくは、第２単心コネクタアダプタには、キャップが嵌め込まれている。このような構成では、光ファイバ心線を伝搬する光の通信異常を検査する場合は、検査モジュールにおける検査対象の光ファイバ心線に対応する第２単心コネクタアダプタからキャップを外し、専用の検査ユニットと接続されたコネクタをその第２単心コネクタアダプタに差し込むようにする。この場合には、他の全ての第２単心コネクタアダプタにはキャップが嵌め込まれた状態となっているため、コネクタプラグを引き抜くべき第１単心コネクタアダプタの位置が更に識別しやすくなる。これにより、第１単心コネクタアダプタに対するコネクタプラグの誤挿抜を一層防止することができる。
【０００９】
このとき、好ましくは、キャップは、検査モジュールがコネクタモジュールに装着された状態において第１単心コネクタアダプタ側まで延びるように構成されている。このようにキャップが第１単心コネクタアダプタ側まで延びていると、作業者にとっては心理的にも視覚的にも当該第１単心コネクタアダプタが引き抜きにくくなるという感情が起きるようになる。これにより、第１単心コネクタアダプタに対するコネクタプラグの誤挿抜をより一層防止することができる。
【００１０】
また、好ましくは、光スプリッタは、分岐用光ファイバを伝搬する光の強度が接続用光ファイバを伝搬する光の強度よりも低くなるように設定された不等分配スプリッタである。この場合には、光ファイバ心線を伝搬する通信光に大きな影響を与えること無く、通信光を測定したり、検査光を入れることができる。
【００１１】
さらに、好ましくは、接続モジュールの上部に配置され、コネクタモジュールを収容するユニットケースを更に備え、複数の第１単心コネクタアダプタは、ユニットケースの奥行方向に整列状態に配列されており、コネクタモジュールは、ユニットケースに対して奥行方向に沿って出し入れ自在かつ回転自在となっており、検査モジュールは、コネクタモジュールをユニットケースから引き出した後、第１単心コネクタアダプタがユニットケースの正面側を向くようにコネクタモジュールを回転させた状態で、コネクタモジュールに装着される。このような構成では、光ファイバ心線を伝搬する光の通信異常を検査する場合は、コネクタモジュールをユニットケースから引き出した後、第１単心コネクタアダプタがユニットケースの正面側を向くようにコネクタモジュールを回転させ、その状態で検査モジュールをコネクタモジュールに装着する。この場合には、第１単心コネクタアダプタの高密度化を図ることができ、結果的に光成端ユニットの小型化を図ることができる。
【００１２】
また、本発明の通信異常検査方法は、上述した光成端ユニットを用意し、コネクタモジュールに検査モジュールを装着する準備工程と、検査モジュールの何れかの第２単心コネクタアダプタに検査用光ファイバをコネクタ接続して、光ファイバ心線を伝搬する光の通信異常を検査する検査工程と、検査工程による検査結果に応じて、何れかの第２単心コネクタアダプタに対応する第１単心コネクタアダプタに対してコネクタを挿抜して良いかどうかを判定する判定工程とを含むことを特徴とするものである。
【００１３】
このように上記の光成端ユニットを使用して、光ファイバ心線を伝搬する光の通信異常を検査することにより、上述したように、複数の第１単心コネクタアダプタが高密度で配列されている場合でも、第１単心コネクタアダプタに対するコネクタプラグの誤挿抜を防止することができる。
【００１４】
さらに、本発明は、整列状態に配列された複数の第１単心コネクタアダプタを有するコネクタモジュールに対して着脱可能な検査モジュールであって、整列状態に配列された複数の第２単心コネクタアダプタを有し、コネクタモジュールに装着された状態において第１単心コネクタアダプタと対応する第２単心コネクタアダプタとが同じ列で上下に並ぶように構成されていることを特徴とするものである。
【００１５】
このように上記の検査モジュールを使用することにより、上述したように、コネクタモジュールに設けられた複数の第１単心コネクタアダプタが高密度で配列されている場合でも、第１単心コネクタアダプタに対するコネクタプラグの誤挿抜を防止することができる。
【発明の効果】
【００１６】
本発明によれば、複数のコネクタアダプタが高密度で実装される場合でも、コネクタアダプタに対するコネクタの誤挿抜を防止することができる。これにより、作業性の向上に寄与することが可能となる。
【図面の簡単な説明】
【００１７】
【図１】本発明に係わる光成端ユニットの一実施形態を概略的に示す構成図である。
【図２】図１に示した光成端ユニットの斜視図である。
【図３】図２に示したコネクタモジュールの内部構造を示す斜視図である。
【図４】図３に示したコネクタモジュールをユニットケースの手前側に引き出した状態を示す斜視図である。
【図５】図４に示したコネクタモジュールをユニットケースに対して９０度回転させた状態を示す斜視図である。
【図６】図５に示したコネクタモジュールを底面側から見た斜視図である。
【図７】図１に示した不等分配スプリッタの構成を示す図である。
【図８】図５に示したコネクタモジュールの検査モジュール載置部に検査モジュールを装着した状態を示す斜視図である。
【図９】図５に示したコネクタモジュールの検査モジュール載置部に検査モジュールを装着した状態を反対側から示す斜視図である。
【図１０】図８及び図９に示したキャップの斜視図である。
【図１１】図８に示した検査モジュールの任意の単心コネクタアダプタからキャップを外した状態、コネクタモジュールの対応する単心コネクタアダプタから単心コネクタプラグを抜いた状態を示す斜視図である。
【図１２】図８に示したキャップの変形例を示す斜視図である。
【発明を実施するための形態】
【００１８】
以下、本発明に係わる光成端ユニット、通信異常検査方法及び検査モジュールの好適な実施形態について、図面を参照して詳細に説明する。
【００１９】
図１は、本発明に係わる光成端ユニットの一実施形態を概略的に示す構成図である。同図において、本実施形態の光成端ユニット１は、加入者側と接続された光ファイバ心線を伝送機器（図示せず）とつなぐために、光ケーブル（図示せず）に内蔵された複数（ここでは１６心数）の光ファイバ心線を１心毎のコネクタに成端するものである。光成端ユニット１は、ビルやセンタ内に設置された光キャビネット（図示せず）に収納される。
【００２０】
光成端ユニット１は、コネクタモジュール２と、接続モジュール３と、検査モジュール４とを備えている。コネクタモジュール２は、図２に示すように、ユニットケース５の内部に収容されている。接続モジュール３は、ユニットケース５の下面に固定されている。従って、コネクタモジュール２は、接続モジュール３の上部に配置されていることになる。
【００２１】
コネクタモジュール２は、図３に示すように、コネクタ収容部６と、余長収容部７と、検査モジュール載置部８とを有している。コネクタ収容部６には、複数（ここでは８個）のコネクタアダプタ部材９がユニットケース５の奥行方向（前後方向）に沿って互いに整列状態に配列されている。コネクタアダプタ部材９としては、例えばＳＣコネクタアダプタが用いられる。コネクタアダプタ部材９は、２列の単心コネクタアダプタ１０を有している。従って、コネクタ収容部６には、ここでは１６個の単心コネクタアダプタ１０が前後方向に沿って整列状態に配列されていることとなる。
【００２２】
図１及び図３に示すように、各単心コネクタアダプタ１０には、接続用光ファイバ心線１１が接続されている。各単心コネクタアダプタ１０には、伝送機器と接続された光コード１２の端部に組み付けられた単心コネクタプラグ１３が挿入・嵌合されている。
【００２３】
このように複数の単心コネクタアダプタ１０をユニットケース５の奥行方向に配列することにより、各単心コネクタアダプタ１０の間隔を広く取ることができる。このため、単心コネクタアダプタ１０に対する単心コネクタプラグ１３の挿抜性を向上させることができる。また、複数の単心コネクタアダプタ１０をコネクタモジュール２に高密度に実装することができる。
【００２４】
余長収容部７には、接続用光ファイバ心線１１及び光コード１２の余長が収容される。余長収容部７には、接続用光ファイバ心線１１及び光コード１２の余長をガイドするＲガイド部１４が設けられている。Ｒガイド部１４の上面には、ピン留め穴１５が形成されている。検査モジュール載置部８には、検査モジュール４が着脱可能に装着される。検査モジュール載置部８の前端部には、固定用突起１６が設けられている。
【００２５】
コネクタモジュール２は、図４に示すように、ユニットケース５に対して前後方向に出し入れ自在となっている。コネクタモジュール２は、保持板１７上に配置されている。保持板１７は、ユニットケース５に対して前後方向に摺動可能である。保持板１７には、前後方向に延びるガイド孔１８が形成されている。保持板１７には、ガイド孔１８に嵌め込まれた回転軸部１９（図６参照）を介してコネクタモジュール２が取り付けられている。回転軸部１９がガイド孔１８に沿って移動することで、コネクタモジュール２が保持板１７に対して前後方向に摺動可能となる。
【００２６】
また、コネクタモジュール２は、図５に示すように、ユニットケース５に対して回転軸部１９を介して回転自在となっている。コネクタモジュール２の後端部には、図６に示すように、コネクタモジュール２が保持板１７に対して反時計回りに９０度回転したときに、保持板１７に引っ掛かるストッパ２０が設けられている。
【００２７】
接続モジュール３は、複数（ここでは２個）の多心コネクタ２１と、多心コネクタ２２，２３とを備えている。多心コネクタ２１としては、例えば８心ＭＰＯコネクタが用いられる。多心コネクタ２２，２３としては、例えば１６心ＭＰＯコネクタが用いられる。
【００２８】
図１に示すように、多心コネクタ２１は、接続用光ファイバテープ心線２５の端部に組み付けられている。多心コネクタ２２，２３は、分岐用光ファイバテープ心線２６，２７の端部にそれぞれ組み付けられている。多心コネクタ２１〜２３は、接続モジュール３の一側面に設けられている。各多心コネクタ２１には、光ケーブル（図示せず）に内蔵された光ファイバテープ心線２８の端部に組み付けられた多心コネクタ２９が接続されている。
【００２９】
また、接続モジュール３は、図１に示すように、接続用光ファイバ心線１１と接続用光ファイバテープ心線２５とを接続する光部品である不等分配スプリッタ３０を備えている。不等分配スプリッタ３０は、接続用光ファイバ心線１１及び接続用光ファイバテープ心線２５から分岐用光ファイバテープ心線２６，２７が分岐するように構成されている。なお、不等分配スプリッタ３０は、接続用光ファイバ心線１１と接続用光ファイバテープ心線２５とを１心毎に接続すると共に、分岐用光ファイバテープ心線２６，２７を１心毎に分岐させるように構成されている。
【００３０】
不等分配スプリッタ３０は、図７に示すように、接続用光ファイバ心線１１及び接続用光ファイバテープ心線２５を伝搬する光の強度が分岐用光ファイバテープ心線２６，２７を伝搬する光の強度よりも高くなるように設定されている。具体的には、不等分配スプリッタ３０は、接続用光ファイバ心線１１及び接続用光ファイバテープ心線２５を伝搬する光の強度と分岐用光ファイバテープ心線２６，２７を伝搬する光の強度との比率が９：１となるように設計されている。なお、不等分配スプリッタ３０の強度比率としては、特に９：１には限られず、実用に応じて８：２や９．５：０．５等とすることも考えられる。
【００３１】
このような不等分配スプリッタ３０によって、光ファイバテープ心線２８から光コード１２に伝搬する通信光の一部を分岐用光ファイバテープ心線２６を介して取り出し、光コード１２から光ファイバテープ心線２８に伝搬する通信光の一部を分岐用光ファイバテープ心線２７を介して取り出すことができる。
【００３２】
検査モジュール４は、光伝送路側の光ケーブル（図示せず）に内蔵された光ファイバテープ心線２８及び伝送機器側の光コード１２を伝搬する通信光の異常の検査に使用されるモジュールである。検査モジュール４は、図２に示すように、モジュール本体３１と、このモジュール本体３１に取り付けられた複数（ここでは１６個）のコネクタアダプタ部材３２とを有している。コネクタアダプタ部材３２としては、例えばＬＣコネクタアダプタが用いられる。
【００３３】
コネクタアダプタ部材３２は、下段の単心コネクタアダプタ３３と上段の単心コネクタアダプタ３４とを有している。各コネクタアダプタ部材３２は、整列状態に配列されている。従って、下段の単心コネクタアダプタ３３及び上段の単心コネクタアダプタ３４は、何れも１６列で整列状態に配列されていることとなる。
【００３４】
下段の単心コネクタアダプタ３３には、光ファイバ心線３５の一端部が接続されている。光ファイバ心線３５の他端側はテープ状となっており、その光ファイバ心線３５の他端部には多心コネクタ３６が組み付けられている。上段の単心コネクタアダプタ３４には、光ファイバ心線３７の一端部が接続されている。光ファイバ心線３７の他端側はテープ状となっており、その光ファイバ心線３７の他端部には多心コネクタ３８が組み付けられている。多心コネクタ３６，３８としては、上記の多心コネクタ２２，２３と同様に１６心ＭＰＯコネクタが用いられる。
【００３５】
多心コネクタ３６は、多心コネクタ２２と接続され、多心コネクタ３８は、多心コネクタ２３と接続される。ここで、下段の単心コネクタアダプタ３３は、光ファイバテープ心線２８側（光伝送路側）に相当し、上段の単心コネクタアダプタ３４は、光コード１２側（伝送機器側）に相当している。
【００３６】
検査モジュール４の使用時には、図８に示すように、検査モジュール４はコネクタモジュール２の検査モジュール載置部８に装着される。検査モジュール４のモジュール本体３１の一端部には、コネクタモジュール２のＲガイド部１４に形成されたピン留め穴１５と係合する固定ピン３９が設けられている。モジュール本体３１の他端部には、図９に示すように、検査モジュール載置部８に設けられた固定用突起１６と係合するフック部４０が設けられている。検査モジュール４を検査モジュール載置部８に装着するときは、検査モジュール４を検査モジュール載置部８に載せた状態で、フック部４０を固定用突起１６に引っ掛けると共に、固定ピン３９をピン留め穴１５に差し込む。これにより、検査モジュール４がコネクタモジュール２に固定された状態となる。
【００３７】
このように検査モジュール４がコネクタモジュール２の検査モジュール載置部８に装着された状態では、コネクタモジュール２の単心コネクタアダプタ１０とこれに対応する検査モジュール４の単心コネクタアダプタ３３，３４とが同じ列で上下に並ぶように構成されている。つまり、１番心の単心コネクタアダプタ１０の真上に１番心の単心コネクタアダプタ３３，３４が位置し、１６番心の単心コネクタアダプタ１０の真上に１６番心の単心コネクタアダプタ３３，３４が位置するようになる。
【００３８】
また、通常時には、図８及び図９に示すように、検査モジュール４の全ての単心コネクタアダプタ３３，３４には、ゴム製のキャップ４１が嵌め込まれている。キャップ４１は、図１０に示すように、Ｌ字状の延在部４２と、この延在部４２の上部に設けられ、単心コネクタアダプタ３３，３４に嵌入される２つの突部４３とからなっている。各突部４３を単心コネクタアダプタ３３，３４に嵌入した状態では、延在部４２がコネクタモジュール４の単心コネクタアダプタ１０の近くまで延びるようになる。
【００３９】
以上のように構成した光成端ユニット１において、通信異常があるかどうかを検査するときは、まず図４に示すように、ユニットケース５からコネクタモジュール２を手前に引き出した後、図５に示すように、コネクタモジュール２の各単心コネクタアダプタ１０が正面側を向くようにコネクタモジュール２を反時計回りに９０度回転させる。そして、図８及び図９に示すように、検査モジュール４をコネクタモジュール２の検査モジュール載置部８に装着し、その状態で多心コネクタ３６，３８を接続モジュール３の多心コネクタ２２，２３にそれぞれ接続する（準備工程）。
【００４０】
ここで、例えば通信光１６心のうち１番心の通信異常を検査したい場合は、図１１（ａ）に示すように、検査モジュール４の１番心の単心コネクタアダプタ３３，３４からキャップ４１を外し、その１番心の単心コネクタアダプタ３３，３４に、専用の検査ユニット（図示せず）に接続された単心コネクタプラグ４４（図１参照）を挿入する。そして、光ファイバテープ心線２８を伝搬する伝送路側の通信光及び光コード１２を伝搬する機器側の通信光を不等分配スプリッタ３０を介して受けて測定したり、不等分配スプリッタ３０を介して検査光を光ファイバテープ心線２８及び光コード１２に入れて、１番心の通信異常の有無を調べる（検査工程）。
【００４１】
そして、その検査結果に応じて、検査モジュール４の１番心の単心コネクタアダプタ３３，３４の真下に位置するコネクタモジュール２の１番心の単心コネクタアダプタ１０から単心コネクタプラグ１３を引き抜いても良いかどうかを判定する（判定工程）。１番心の通信異常が見つかり、１番心の通信を遮断したり、切り換える必要がある場合には、図１１（ｂ）に示すように、１番心の単心コネクタアダプタ１０から単心コネクタプラグ１３を引き抜く。
【００４２】
このとき、１番心以外の単心コネクタアダプタ３３，３４には、キャップ４１が付いている。そのキャップ４１は、単心コネクタアダプタ１０に挿入された単心コネクタプラグ１３の近くまで延びている。このため、１番心以外の単心コネクタアダプタ１０から単心コネクタプラグ１３を引き抜こうとしても、作業者にとっては視覚的にキャップ４１が邪魔になるため、当該単心コネクタプラグ１３が引き抜きにくくなる。
【００４３】
以上のように本実施形態によれば、検査モジュール４をコネクタモジュール２の検査モジュール載置部８に装着したときには、コネクタモジュール２の単心コネクタアダプタ１０と検査モジュール２の対応する心番の単心コネクタアダプタ３３，３４とが同じ列で上下に並んだ状態になっていると共に、全ての単心コネクタアダプタ３３，３４には、単心コネクタアダプタ１０の近くまで延びるキャップ４１が付いている。そして、通信異常を検査するときは、検査対象の心番の単心コネクタアダプタ３３，３４に付いたキャップ４１のみを外し、他の単心コネクタアダプタ３３，３４にはキャップ４１を付けたままとする。従って、コネクタモジュール２に複数の単心コネクタアダプタ１０が高密度で配列されている場合でも、検査対象の心番でない単心コネクタアダプタ１０から誤って単心コネクタプラグ１３を抜いてしまったり、或いは検査対象の心番でない単心コネクタアダプタ１０に誤って単心コネクタプラグを挿入してしまうことを確実に防止できる。
【００４４】
なお、本発明は、上記実施形態に限定されるものではない。例えば上記実施形態では、検査モジュール４の単心コネクタアダプタ３３，３４に嵌め込まれるキャップ４１は、Ｌ字状の延在部４２と２つの突部４３とからなっているが、使用するキャップとしては、特に上記の構造のものには限られず、例えば図１２に示すようなものでも良い。図１２に示すキャップ５０は、単心コネクタアダプタ３３，３４に嵌入される２つの突起を有する本体部５１と、この本体部５１から単心コネクタアダプタ１０側に延びるロッド部５２と、ロッド部５２の先端（下端）に設けられ、単心コネクタアダプタ１０に挿入された単心コネクタプラグ１３を把持する把持部５３とから構成されている。
【００４５】
また、単心コネクタアダプタ３３，３４に嵌め込まれるキャップは、特に単心コネクタアダプタ１０側に延びていなくても良い。この場合でも、検査対象の心番でない全ての単心コネクタアダプタ３３，３４にはキャップが付いたままとなるので、単心コネクタプラグ１３に対して挿抜すべき単心コネクタアダプタ１０が直ちに分かるようになる。これにより、単心コネクタアダプタ１０に対する単心コネクタプラグ１３の誤挿抜を防止することができる。
【００４６】
さらに、検査モジュール４がコネクタモジュール２の検査モジュール載置部８に装着された状態では、単心コネクタアダプタ１０とこれに対応する心番の単心コネクタアダプタ３３，３４とが同じ列で上下に並ぶように構成されているので、単心コネクタプラグ１３に対して挿抜すべき単心コネクタアダプタ１０を容易に識別することができる。従って、特に上記のキャップを使用しなくても、単心コネクタアダプタ１０に対する単心コネクタプラグ１３の誤挿抜を防止することが可能である。
【００４７】
また、上記実施形態では、コネクタモジュール２がユニットケース５に対して出し入れ自在及び回転自在となっているが、特にその構成には限られず、コネクタモジュール４の各単心コネクタアダプタ１０が常に正面側を向くようにコネクタモジュール４が固定的に配置されていても良い。
【符号の説明】
【００４８】
１…光成端ユニット、２…コネクタモジュール、３…接続モジュール、４…検査モジュール、５…ユニットケース、１０…単心コネクタアダプタ（第１単心コネクタアダプタ）、１１…接続用光ファイバ心線、１３…単心コネクタプラグ、２１…多心コネクタ、２５…接続用光ファイバテープ心線、２６，２７…分岐用光ファイバテープ心線、３０…不等分配スプリッタ（光スプリッタ、光部品）、３３，３４…単心コネクタアダプタ（第２単心コネクタアダプタ）、４１…キャップ、５０…キャップ。
【図１】
2014174394.tif 000003
【図２】
2014174394.tif 000004
【図３】
2014174394.tif 000005
【図４】
2014174394.tif 000006
【図５】
2014174394.tif 000007
【図６】
2014174394.tif 000008
【図７】
2014174394.tif 000009
【図８】
2014174394.tif 000010
【図９】
2014174394.tif 000011
【図１０】
2014174394.tif 000012
【図１１】
2014174394.tif 000013
【図１２】
2014174394.tif 000014